(57)【要約】【課題】  本体後方に加熱コイルを設けた場合でも、当該加熱コイルの十分な冷却風量を確保することができる誘導加熱調理器を提供すること。【解決手段】  本体と、本体の上面を覆うトッププレートと、トッププレートの下方に設けられた複数の加熱コイルと、外部の空気をトッププレートに形成された吸気口から取り入れるための吸気ファンとを設け、複数の加熱コイルの一つ２２を本体内部の後方に配置した。また、後方の加熱コイル２２を冷却するための専用の通風路５３を本体内部に設けた。【選択図】図４
2008059983.tif 000002
【特許請求の範囲】
【請求項１】
本体と、該本体の上面を覆うトッププレートと、該トッププレートの下方に設けられ、前記本体前方に位置する第１、第２の加熱コイル及び前記本体後方で前記第１、第２の加熱コイルの間に位置する第３の加熱コイルと、外部の空気を前記トッププレートの後側の本体上面に形成された吸気口から前記本体内部に取り入れ前方に吹き出し前記第１の加熱コイル側の前記本体外面に設けられた排気口から排気するための吸気ファンと、該吸気ファンの前方に配置され前記第１及び第２の加熱コイルを駆動する制御基板と、該制御基板を覆う基板カバーとを備えた誘導加熱調理器であって、
前記第３の加熱コイルを冷却するための空気を前記第２の加熱コイルの外側で前記第３の加熱コイルの中心と前記吸気ファンの外殻との間に形成された吐出口から吹き出す通風路を設けたことを特徴とする誘導加熱調理器。
【請求項２】
本体と、該本体の上面を覆うトッププレートと、該トッププレートの下方に設けられ、前記本体前方に位置する第１、第２の加熱コイル及び前記本体後方で前記第１、第２の加熱コイルの間に位置する第３の加熱コイルと、前記第１の加熱コイルの下方に設けられたロースターと、外部の空気を前記本体後方上面の前記第２の加熱コイル側に形成された吸気口から前記本体内部に取り入れ前方に吹き出し前記第１の加熱コイル側の前記本体外面に設けられた排気口から排気するための吸気ファンと、前記ロースター側の空間と前記制御基板及び前記第１の加熱コイルの側の空間を仕切るロースターカバーと、前記ロースターカバーの側壁で仕切られた前記ロースターの側方の空間内で前記吸気ファンの前方に配置され前記加熱コイルを駆動する制御基板と、前記制御基板を覆う基板カバーとを備えた誘導加熱調理器であって、
前記吸気ファンが前記制御基板に対して吹き出した風を前記基板カバー、前記吸気ファンの外殻及び前記ロースターカバーの側壁で囲まれた空間内に形成された通風路で後方に導き、前記本体内部後方に形成された吐出口から吹き出し前記第３の加熱コイルに送風することを特徴とする誘導加熱調理器。
【請求項３】
前記通風路の吐出口が前記吸気ファンの外殻又は前記制御基板を覆う基板カバーに形成された請求項１又は２に記載の誘導加熱調理器。
【請求項４】
前記通風路の吐出口から吹き出す空気を送るための補助ファンを前記本体内に設けた請求項１〜３のいずれか１項に記載の誘導加熱調理器。
【請求項５】
本体と、該本体の上面を覆うトッププレートと、該トッププレートの下方に設けられ、前記本体前方に位置する第１、第２の加熱コイル及び前記本体後方で前記第１、第２の加熱コイルの間に位置する第３の加熱コイルと、外部の空気を前記本体後方上面の前記第２の加熱コイル側に形成された吸気口から前記本体内部に取り入れ前方に吹き出し前記第１の加熱コイル側の前記本体外面に設けられた排気口から排気するための吸気ファンと、該吸気ファンの前方に配置され前記第１及び第２の加熱コイルを駆動する制御基板と、該制御基板を覆う基板カバーとを備えた誘導加熱調理器であって、
前記第３の加熱コイルを冷却するための空気を前記本体後方の位置から吹き出す吐出口を有する通風路を前記本体内部に設け、前記通風路の一部が前記本体内部に形成された通風ダクトであり、該通風ダクトに前記通風路の吸気口である通風路吸気口を形成するとともに前記本体内部に補助ファンを取り付け、前記吐出口より風上の位置に設けられた前記通風路吸気口を介して前記補助ファンに吸入した空気を前記第３の加熱コイルに送るようにしたことを特徴とする誘導加熱調理器。
【請求項６】
前記通風路の一部が前記吸気ファンの外殻又は前記基板カバーに形成された通風ダクトであることを特徴とする請求項５に記載の誘導加熱調理器。
【請求項７】
前記通風路の一部が前記吸気ファンの前方に位置する前記制御基板を保持する基板ケースに形成された通風ダクトであることを特徴とする請求項５に記載の誘導加熱調理器。
【請求項８】
前記通風路吸気口を前記吸気ファンの風上に設け、外部の空気を前記吸気ファンを介さず吸入することを特徴とする請求項５に記載の誘導加熱調理器。
【請求項９】
前記通風路の一部が前記本体内部に形成された通風ダクトであり、該通風ダクトに前記通風路の吸気口である通風路吸気口を形成するとともに前記本体内部に補助ファンを取り付け、前記吐出口より温度の低い位置に設けられた前記通風路吸気口を介して前記補助ファンに吸入した空気を前記第３の加熱コイルに送るようにするとともに、前記通風路吸気口を前記ロースターカバーの風上側に設けたことを特徴とする請求項２に記載の誘導加熱調理器。
【請求項１０】
本体と、該本体の上面を覆うトッププレートと、該トッププレートの下方に設けられ、前記本体前方に位置する第１、第２の加熱コイル及び前記本体後方で前記第１、第２の加熱コイルの間に位置する第３の加熱コイルと、外部の空気を前記本体後方上面の前記第２の加熱コイル側に形成された吸気口から前記本体内部に取り入れ前方に吹き出し前記第１の加熱コイル側の前記本体外面に設けられた排気口から排気するための吸気ファンと、該吸気ファンの前方に配置され前記第１及び第２の加熱コイルを駆動する制御基板と、該制御基板を覆う基板カバーとを備えた誘導加熱調理器であって、
前記第３の加熱コイルを冷却するための空気を吹き出す通風路を前記本体内部に設け、前記通風路の吸気口である通風路吸気口が前記吸気ファンの外殻の側壁の前記吸気ファン吐出口と別の方向に形成されており、前記通風路を構成する通風ダクトを前記吸気ファンの外殻に形成し、前記吸気ファンに吸入した空気を前記通風路吸気口及び前記通風ダクトを介して前記第３の加熱コイルに送るようにしたことを特徴とする誘導加熱調理器。
【請求項１１】
前記通風ダクトに補助ファンを取り付けたことを特徴とする請求項６、７、９、１１のいずれか１項に記載の誘導加熱調理器。
【請求項１２】
本体と、該本体の上面を覆うトッププレートと、該トッププレートの下方に設けられ、前記本体前方に位置する第１、第２の加熱コイル及び前記本体後方で前記第１、第２の加熱コイルの間に位置する第３の加熱コイルと、外部の空気を前記本体後方上面の前記第２の加熱コイル側に形成された吸気口から前記本体内部に取り入れ前方に吹き出し前記第１の加熱コイル側の前記本体外面に設けられた排気口から排気するための吸気ファンと、該吸気ファンの前方に配置され前記第１及び第２の加熱コイルを駆動する制御基板と、該制御基板を覆う基板カバーとを備えた誘導加熱調理器であって、
前記第３の加熱コイルを冷却するための空気を吹き出す通風路を前記本体内部に設け、前記通風路の一部が前記吸気ファンの前方に位置する前記制御基板を覆う基板カバーに形成された通風ダクトであり、該通風ダクトの近傍の前記吸気ファンの外殻に前記通風路の一部である別の通風ダクトを形成し、前記吸気ファンに吸入した空気を前記基板カバーの通風ダクト及び前記吸気ファンの外殻の通風ダクトを介して前記第３の加熱コイルに送るようにしたことを特徴とする誘導加熱調理器。
【請求項１３】
前記吸気ファンの外殻の通風ダクト又は前記基板カバーに形成された通風ダクトに補助ファンを取り付けたことを特徴とする請求項１２に記載の誘導加熱調理器。
【請求項１４】
前記通風路の吐出口よりも前記本体内の手前側において前記基板カバーに第２の通風ダクト吐出口を形成し、前記吸気ファンに吸入した空気を前記第２の通風ダクト吐出口を介して前記第１及び第２の加熱コイルに送るとともに、前記通風ダクト吐出口を介して前記第３の加熱コイルに送るようにしたことを特徴とする請求項１〜８のいずれか１項に記載の誘導加熱調理器。
【発明の詳細な説明】
【技術分野】
【０００１】
本発明は、システムキッチン等に組み込んで使用する誘導加熱調理器に関する。
【背景技術】
【０００２】
従来、この種の加熱調理器には、トッププレートと筐体により一体化された本体内に吸気専用ファンと排気専用ファンを設けて吸排気経路を強制的に形成したものがある。このような加熱調理器では、機器内部の圧力損失が大きくても、吸気口より取り入れた空気は排気口より確実に排気されるので、機器の冷却が効率よく行われる（例えば、特許文献１参照。）。
【０００３】
また、本体内の前部には誘導加熱手段を構成する複数（例えば、二つ）の加熱コイルが設けられ、加熱コイル後方には電気抵抗発熱式加熱手段であるラジェントヒータが設けられているものもあり、吸気専用ファンから取り入れた空気は、電子部品を備えた制御基板を冷却し、さらに加熱調理器前面に設けられた操作部あるいは加熱庫や加熱コイル等の発熱部を冷却した後、排気専用ファンにより外部に排出される（例えば、特許文献２参照。）。
【０００４】
【特許文献１】特開平１１−３５４２６４号公報
【特許文献２】特開２００４−２８８６５０号公報
【発明の開示】
【発明が解決しようとする課題】
【０００５】
最近では、加熱コイル後方に設けられたラジェントヒータに代えて第３の加熱コイルを設けたものも提案されているが、ラジェントヒータは冷却する必要がないのに対し、加熱コイルは冷却する必要があることから、第３の加熱コイルを設けた三口誘導加熱調理器に、加熱コイルの後方にラジェントヒータを設けた構成の加熱調理器と同様の吸排気経路を採用すると、第３の加熱コイルに十分な冷却風量を確保できないという問題が生じる。
【０００６】
本発明は、従来技術の有するこのような問題点に鑑みてなされたものであり、本体後方に加熱コイルを設けた場合でも、当該加熱コイルの十分な冷却風量を確保することができる誘導加熱調理器を提供することを目的としている。
【課題を解決するための手段】
【０００７】
上記目的を達成するために、本発明のうちで請求項１に記載の発明は、本体と、該本体の上面を覆うトッププレートと、該トッププレートの下方に設けられ、前記本体前方に位置する第１、第２の加熱コイル及び前記本体後方で前記第１、第２の加熱コイルの間に位置する第３の加熱コイルと、外部の空気を前記トッププレートの後側の本体上面に形成された吸気口から前記本体内部に取り入れ前方に吹き出し前記第１の加熱コイル側の前記本体外面に設けられた排気口から排気するための吸気ファンと、該吸気ファンの前方に配置され前記第１及び第２の加熱コイルを駆動する制御基板と、該制御基板を覆う基板カバーとを備えた誘導加熱調理器であって、前記第３の加熱コイルを冷却するための空気を前記第２の加熱コイルの外側で前記第３加熱コイルの中心と前記吸気ファンの外殻との間に形成された吐出口から吹き出す通風路を設けたことを特徴とする。
【０００８】
また、請求項２に記載の発明は、本体と、該本体の上面を覆うトッププレートと、該トッププレートの下方に設けられ、前記本体前方に位置する第１、第２の加熱コイル及び前記本体後方で前記第１、第２の加熱コイルの間に位置する第３の加熱コイルと、前記第１の加熱コイルの下方に設けられたロースターと、外部の空気を前記本体後方上面の前記第２の加熱コイル側に形成された吸気口から前記本体内部に取り入れ前方に吹き出し前記第１の加熱コイル側の前記本体外面に設けられた排気口から排気するための吸気ファンと、前記ロースター側の空間と前記制御基板及び前記第１の加熱コイルの側の空間を仕切るロースターカバーと、前記ロースターカバーの側壁で仕切られた前記ロースターの側方の空間内で前記吸気ファンの前方に配置され前記加熱コイルを駆動する制御基板と、前記制御基板を覆う基板カバーとを備えた誘導加熱調理器であって、前記吸気ファンが前記制御基板に対して吹き出した風を前記基板カバー、前記吸気ファンの外殻及び前記ロースターカバーの側壁で囲まれた空間内に形成された通風路で後方に導き、前記本体内部後方に形成された吐出口から吹き出し前記第３の加熱コイルに送風することを特徴とする。
【０００９】
また、請求項３に記載の発明は、前記通風路の吐出口が前記吸気ファンの外殻又は前記制御基板を覆う基板カバーに形成されたことを特徴とする。
【００１０】
また、請求項４に記載の発明は、前記通風路の吐出口から吹き出す空気を送るための補助ファンを前記本体内に設けたことを特徴とする。
【００１１】
また、請求項５に記載の発明は、本体と、該本体の上面を覆うトッププレートと、該トッププレートの下方に設けられ、前記本体前方に位置する第１、第２の加熱コイル及び前記本体後方で前記第１、第２の加熱コイルの間に位置する第３の加熱コイルと、外部の空気を前記本体後方上面の前記第２の加熱コイル側に形成された吸気口から前記本体内部に取り入れ前方に吹き出し前記第１の加熱コイル側の前記本体外面に設けられた排気口から排気するための吸気ファンと、該吸気ファンの前方に配置され前記第１及び第２の加熱コイルを駆動する制御基板と、該制御基板を覆う基板カバーとを備えた誘導加熱調理器であって、前記第３の加熱コイルを冷却するための空気を前記本体後方の位置から吹き出す吐出口を有する通風路を前記本体内部に設け、前記通風路の一部が前記吸気ファンを覆うファン本体内部に形成された通風ダクトであり、該通風ダクトに前記通風路の吸気口である通風路吸気口を形成するとともに前記本体内部に補助ファンを取り付け、前記吐出口より温度の低い位置に設けられた前記通風路の吸気口を介して前記補助ファンに吸入した空気を前記第３の加熱コイルに送るようにしたことを特徴とする。
【００１２】
また、請求項６に記載の発明は、前記通風路の一部が前記吸気ファンの外殻又は前記基板カバーに形成された通風ダクトであることを特徴とする。
【００１３】
また、請求項７に記載の発明は、前記通風路が前記吸気ファンの前方に位置する前記制御基板を保持する基板ケースに形成された通風ダクトであることを特徴とする。
【００１４】
また、請求項８に記載の発明は、前記通風路吸気口を前記吸気ファンの風上に設け、外部の空気を前記吸気ファンを介さず吸入することを特徴とする。
【００１５】
また、請求項９に記載の発明は、前記通風路の一部が前記本体内部に形成された通風ダクトであり、該通風ダクトに前記通風路の吸気口である通風路吸気口を形成するとともに前記本体内部に補助ファンを取り付け、前記吐出口より温度の低い位置に設けられた前記通風路吸気口を介して前記補助ファンに吸入した空気を前記第３の加熱コイルに送るようにするとともに、前記通風路吸気口を前記ロースターカバーの風上側に設けたことを特徴とする。
【００１６】
さらに、請求１０に記載の発明は、本体と、該本体の上面を覆うトッププレートと、該トッププレートの下方に設けられ、前記本体前方に位置する第１、第２の加熱コイル及び前記本体後方で前記第１、第２の加熱コイルの間に位置する第３の加熱コイルと、外部の空気を前記本体後方上面の前記第２の加熱コイル側に形成された吸気口から前記本体内部に取り入れ前方に吹き出し前記第１の加熱コイル側の前記本体外面に設けられた排気口から排気するための吸気ファンと、該吸気ファンの前方に配置され前記第１及び第２の加熱コイルを駆動する制御基板と、該制御基板を覆う基板カバーとを備えた誘導加熱調理器であって、前記第３の加熱コイルを冷却するための空気を吹き出す通風路を前記本体内部に設け、前記通風路の吸気口である通風路吸気口が前記吸気ファンの外殻の側壁の前記吸気ファン吐出口と別の方向に形成されており、前記通風路を構成する通風ダクトを前記吸気ファンの外殻に形成し、前記吸気ファンに吸入した空気を前記通風路吸気口及び前記通風ダクトを介して前記第３の加熱コイルに送るようにしたことを特徴とする。
【００１７】
また、請求項１１に記載の発明は、前記通風ダクトに補助ファンを取り付けたことを特徴とする。
【００１８】
また、請求項１２に記載の発明は、本体と、該本体の上面を覆うトッププレートと、該トッププレートの下方に設けられ、前記本体前方に位置する第１、第２の加熱コイル及び前記本体後方で前記第１、第２の加熱コイルの間に位置する第３の加熱コイルと、外部の空気を前記本体後方上面の前記第２の加熱コイル側に形成された吸気口から前記本体内部に取り入れ前方に吹き出し前記第１の加熱コイル側の前記本体外面に設けられた排気口から排気するための吸気ファンと、該吸気ファンの前方に配置され前記第１及び第２の加熱コイルを駆動する制御基板と、該制御基板を覆う基板カバーとを備えた誘導加熱調理器であって、前記第３の加熱コイルを冷却するための空気を吹き出す通風路を前記本体内部に設け、前記通風路の一部が前記吸気ファンの前方に位置する前記制御基板を覆う基板カバーで形成された通風ダクトであり、該通風ダクトの近傍の前記吸気ファンの外殻に前記通風路の一部である別の通風ダクトを形成し、前記吸気ファンに吸入した空気を前記基板カバーの通風ダクト及び前記吸気ファンの外殻の通風ダクトを介して前記第３の加熱コイルに送るようにしたことを特徴とする。
【００１９】
また、請求項１３に記載の発明は、前記吸気ファンの外殻の通風ダクト又は前記基板カバーに形成された通風ダクトに補助ファンを取り付けたことを特徴とする。
【００２０】
また、請求項１４に記載の発明は、前記通風路の吐出口よりも前記本体内の手前側において前記基板カバーに第２の通風ダクト吐出口を形成し、前記吸気ファンに吸入した空気を前記第２の通風ダクト吐出口を介して前記第１及び第２の加熱コイルに送るとともに、前記通風ダクト吐出口を介して前記第３の加熱コイルに送るようにしたことを特徴とする。
【発明の効果】
【００２１】
本発明によれば、第３の加熱コイルを冷却するための空気を第２の加熱コイルの外側で第３の加熱コイルの中心と吸気ファンの外殻との間に形成された吐出口から吹き出す通風路を設けたので、吸気ファンの吸排気作用により吸気ファン外殻周辺と排気口の間に圧力差が生じ、吸気ファンの近傍にある吐出口から吹き出した風は、吐出口よりも排気口側にある第３の加熱コイルの方向に流れることになり、第３の加熱コイルを冷却するための風量を十分に確保し、かつ効率良く冷却することができる。
【００２２】
また、吸気ファンが制御基板に対して吹き出した風を基板カバー、吸気ファンの外殻及びロースターカバーの側壁で囲まれた空間内に形成された通風路で後方に導き、本体内部後方に形成された吐出口から吹き出し第３の加熱コイルに送風すると、吸気ファンの吹き出す温度の低い冷却風の一部を第３の加熱コイルに効率よく導き、吸気ファンと反対側に位置する排気口にスムーズに冷却風を流し冷却することができる。
【００２３】
また、通風路の吐出口を吸気ファンの外殻又は制御基板を覆う基板カバーに形成すると、これらの部品を本体に取り付けることにより、吐出口及び通風路を同時に設けることになるので、高密度な実装を行うことができたり、あるいは組立性を良くすることができる。
【００２４】
また、通風路の風を第３の加熱コイルに送るための補助ファンを本体内に設けると、より効率的に多くの風量を第３の加熱コイルに送風することができる。
【００２５】
また、第３の加熱コイルを冷却するための空気を吹き出す通風路を本体内部に設け、通風路の一部を吸気ファンの外殻に形成された通風ダクトで構成し、吸気ファンの外殻又は基板カバーに補助ファンを取り付け、前記吐出口より風上の位置に設けられた通風路吸気口を介して補助ファンに吸入した空気を第３の加熱コイルに送るようにすると、温度の低い空気を第３の加熱コイル近傍に強制的に流して第３の加熱コイルを冷却することができ、冷却効率が向上する。さらに、補助ファンを設けると、強制的に必要量の風量で第３の加熱コイルを冷却できるとともに、吸気ファンの排気抵抗を低減し吸気ファンの速度を必要以上に増大する必要がないので、騒音が低減する。
【００２６】
また、通風路の一部が、吸気ファンの外殻又は基板カバーに形成された通風ダクトであったり、あるいは吸気ファンの前方に位置する制御基板を保持する基板ケースに形成された通風ダクトであると、通風路を本体に設ける際の組立性が向上し高密度な設計をすることができる。
【００２７】
また、通風路吸気口を吸気ファンの風上に設け、外部の空気を吸気ファンを介さず吸入すると、室温に近い空気を第３の加熱コイル近傍に強制的に流して第３加熱コイルを冷却することができる。
【００２８】
また、通風路吸気口をロースターカバーの風上側に設けると、ロースターの発生する熱の影響により温度が上昇する前の空気を第３の加熱コイル近傍に強制的に流して第３の加熱コイルを冷却することができる。
【００２９】
また、第３の加熱コイルを冷却するための空気を吹き出す通風路の吸気口である通風路吸気口を吸気ファンの外殻の側壁の吸気ファン吐出口と別の方向に形成するとともに、通風路を構成する通風ダクトを吸気ファンの外殻に形成し、吸気ファンに吸入した空気を通風路吸気口及び通風ダクトを介して第３の加熱コイルに送るようにすると、構成が簡素になるばかりでなく室温の空気で第３の加熱コイルを冷却することができる。この場合、第３の加熱コイル冷却用の補助ファンをさらに設けると、吸気ファンの負担を少なくすることができるので、安価で騒音も少ない。
【００３０】
また、補助ファンを吸気ファンの外殻又は基板カバーに固定すると、補助ファンを本体に取り付ける際の組立性を良くし高密度な設計をすることができる。
【００３１】
また、通風路の一部を吸気ファンの前方に位置する制御基板を覆う基板カバーに形成された通風ダクトで構成し、吸気ファンの外殻に通風路の一部である別の通風ダクトを形成し、吸気ファンに吸入した空気を二つの通風ダクトを介して第３の加熱コイルに送るようにすると、制御基板周辺の空気を効率よく抜き取ることができ、制御基板の風上あるいは上部に通風路吸気部を設ければ制御基板の熱影響の少ない空気を取り込み第３の加熱コイルを冷却できるので、冷却効率が向上する。さらに、吸気ファンの外殻に補助ファンを設けると、強制的に第３の加熱コイルへの風の流れを増やし冷却できるとともに、吸気ファンの排気抵抗を低減し吸気ファンの速度を必要以上に増大する必要がないので、騒音が低減する。
【００３２】
また、通風路吐出口よりも手前側において基板カバーに第２の通風ダクト吐出口を形成し、吸気ファンに吸入した空気を前記第２の通風ダクト吐出口を介して第１及び第２の加熱コイルに送るとともに、通風路吐出口を介して第３の加熱コイルに送るようにすると、通風路の一部を吸気ファンの前方に位置する制御基板を保持する基板ケースに形成された通風ダクトで構成し、この通風ダクトに補助ファンを取り付けると、制御基板を冷却して暖められた空気を制御基板周辺から抜き取ることができ、第３の加熱コイルを冷却できる。
【発明を実施するための最良の形態】
【００３３】
以下、本発明の実施の形態について、図面を参照しながら説明する。
実施の形態１．
図１乃至図３は、本発明の実施の形態１にかかる誘導加熱調理器を示しており、調理器本体２はキッチンのキャビネットの天面に設けた開口部に上から落とし込んで組み込まれる。本体２の上面は結晶化セラミックを素材としたトッププレート４の周囲をプレート枠６で囲んで構成されたトッププレートユニットにより覆われている。トッププレート４には複数（本実施の形態では三つ）の加熱部８，１０，１２が印刷により表示されている。トッププレート４の後方で本体２の後部には、外部の空気を本体２内に取り入れるための吸気口１４と、本体２内の発熱部品により加熱された空気を外部に排出するための排気口１６が形成されている。
【００３４】
加熱部８，１０，１２に対応する本体２内部には、トッププレート４の下方に、誘導加熱手段を構成する第１及び第２の加熱コイル１８，２０が前方に偏って配設され、これら二つの加熱コイル１８，２０の間で後方に偏った位置に第３の加熱コイル２２が配設されている。また、これら三つの加熱コイル１８，２０，２２はコイルベース２４，２６，２８にそれぞれ載置されている。
【００３５】
排気口１６側に設けられた第１の加熱コイル（図１の左側の加熱コイル）１８の下方には、本体前面に開口部を有しヒーターを内蔵するロースター３０が、魚などを加熱する加熱庫として破線で示されるように形成されており、ロースター３０からの熱を遮蔽する仕切り板としてのロースターカバー３２が制御基板３６，３８とロースター３０との間、及び第１の加熱コイル１８とロースター３０との間に介装されている。すなわち、ロースターカバー３２は、ロースター３０側の空間と制御基板３６，３８及び第１の加熱コイル１８の側の空間とを仕切る遮熱板である。また、ロースターカバー３２とロースター３０の上面には断熱のための隙間が設けられている。
【００３６】
鉄板など金属製板が曲げられて水平部分と垂直壁部分が形成されたロースターカバー３２の上には、第１の加熱コイル１８が載置されたコイルベース２４を支えるための複数（例えば、三つ）の支持部材（図示せず）が固定されており、この支持部材に取り付けられたばね３３により第１の加熱コイル１８はトッププレート４の裏面（下面）に押圧されている。
【００３７】
また、ロースター３０の側方（吸気口１４側）における本体前面には、誘導加熱調理器を使用して調理するときに操作する操作部３５が設けられている。さらに、ロースター３０の側方（吸気口１４側）で第２の加熱コイル２０の下方には、ロースターカバー３２の側壁、基板カバー４４ｄ（基板ファンカバー４４）及び本体側壁部２ａで仕切られた空間内に、第１乃至第３の加熱コイル１８，２０，２２を制御するための電子部品を備えた三つの制御基板３４，３６，３８が上下に積層された状態で配設されており、その後方には本体２外部の空気を吸い込むとともにその空気を制御基板３４，３６，３８の方向に吐出するための複数（例えば、二つ）の遠心型吸気ファン４０，４２が上下に配置されている。
【００３８】
三つの制御基板３４，３６，３８は、吸気ファン４０，４２からの吐出空気により冷却されるが、本実施の形態では、吸気ファン４０，４２の構成上、図２の破線矢印で示されるように、上層及び下層の制御基板３４，３６には中間層の制御基板３８より多くの冷却風が供給される。また、三つの加熱コイル１８，２０，２２のうち、使用する頻度が少ないので後方に配置された第３の加熱コイル２２の定格出力が最も小さくなるように設定していることから、第３の加熱コイル２２を制御する制御基板３８を中間層に配置している。
【００３９】
しかしながら、中間層の冷却風量は少ないことから、中間層を段差のある２段形状に構成して、発熱部品であるスイッチング素子やダイオードブリッジ（パワーモジュール）等の第１の回路部品を上段３８ａに載置するとともに、発熱部品である共振コンデンサ等の第２の回路部品を下段３８ｂに載置して、温度上昇の分布が均等化されるようにして冷却効率を向上させている。また、上段３８ａに載置された第１の回路部品上には、熱伝達率を向上させるためのヒートシンク４３が放熱手段として固定されており、ヒートシンク４３には、放熱効果を高めるために上方に延びる複数の冷却フィンが形成されている。
【００４０】
また、制御基板３４，３６，３８を上方より覆うために設けた基板カバー４４ｄと吸気ファン４０，４２の外殻を形成しその上方をカバーするために設けたファンカバー４４ｅとが一体的に形成された基板ファンカバー４４が、ロースターカバー３２の上面（水平面）とほぼ同じ高さで、吸気ファン４０，４２の外殻を形成しその側方を覆う吸気ファンケース４６、ロースターカバー３２、本体外殻の吸気口側の側壁部（図１では右側壁部）２ａ、及び本体外殻の前壁部２ｂで囲まれた空間の上方を仕切るように配設されている。
【００４１】
図４及び図５は基板ファンカバー４４と吸気ファンケース４６を示しており、基板ファンカバー４４の基板側には、基板カバー４４ｄが形成されている。基板カバー４４ｄ上には、第２の加熱コイル２０が載置されたコイルベース２６を支えるための複数（例えば、三つ）の円柱状の支持部材４８が樹脂材料により一体的に形成されており、この支持部材４８に嵌め込まれて取り付けられたばね５０によりコイルベース２６は、円柱状の当接部（図示せず）とその上に設けられた弾性部材（図示せず）が当接する状態でトッププレート４の裏面（下面）に押圧され、第２の加熱コイル２０とトッププレート４の裏面との距離が確保されている。
【００４２】
また、吸気ファン４０の上方に位置する基板ファンカバー４４には、上方に向かって突設されたファンカバー４４ｅが樹脂材料により一体的に形成されており、吸気口１４から取り入れられた外部空気は、ファンカバー４４ｅの内側に設けられた吸気部４４ａから吸気ファン４０，４２に吸入される。また、基板ファンカバー４４の前方の第３の加熱コイル２２側には、基板カバー４４ｄが樹脂材料により一体的に形成されており、第３の加熱コイル２２が載置されたコイルベース２８を支えるための複数（例えば、三つ）の支持部材の一つ５２が基板ファンカバー４４における吸気ファンケース４６の側壁（垂直壁）の上部に近接した状態で樹脂材料により一体的に形成されている。
【００４３】
さらに、ファンカバー４４ｅの第３の加熱コイル２２側には、第３の加熱コイル２２を冷却するための専用の通風ダクト５３が基板ファンカバー４４と一体的に形成されている。この通風ダクト５３は前後に仕切られており、後方に通風路吸気口５３ａが形成されるとともに前方に通風路吐出口５３ｂが形成されている。
【００４４】
また、吸気ファンケース４６の第３の加熱コイル２２側には、補助ファンケース５８の一部である下部ケース６０が樹脂材料により一体的に形成されており、この下部ケース６０に補助ファン６２が収容され、補助ファンケース５８の別の一部である上部ケース６４が下部ケース６０に螺着されている。また、補助ファン６２後方の上部ケース６４には、ファンカバー４４に一体的に形成された通風ダクト５３の吸気口５３ａの直下に位置する吸気口６４ｂが形成されており、補助ファン６２の上方の上部ケース６４には、通風ダクト５３の吐出口５３ｂの直下に位置する吐出口６４ａが形成されている。
【００４５】
図６に示されるように、第３の加熱コイル２２の下方のロースターカバー３２上には、コイルベース２８を支えるための二つの円柱状の支持部材５４が破線で示す位置で垂直に形成されており、これら二つの支持部材５４と上述した一つの支持部材５２に取り付けられたばね５６によりコイルベース２８は、円柱状の当接部２８ｃとその上に設けられた弾性部材２８ｄが当接する状態で第３の加熱コイル２２はトッププレート４の裏面（下面）に押圧され、第３の加熱コイル２２２とトッププレート４の裏面との距離が確保されている。
【００４６】
図４及び図６に示されるように、第３の加熱コイル２２の外側のコイルベース２８上には環状の防磁リング６６が載置されており、防磁リング６６の外側におけるコイルベース２８には、ファンカバー４４ｅの上方に向かって延出する略三角形状の延出部２８ａが通風ダクトの吐出口５３ｂと略対向するように一体的に形成されている。この延出部２８ａは、基板ファンカバー４４に形成された上述した支持部材５２に支持されるとともに、第３の加熱コイル２２に冷却風を送るための通風路６８が延出部２８ａの上下方向に形成されている。なお、上述した防磁リングは、第１の加熱コイル１８の外側のコイルベース２４上と、第２の加熱コイル２０の外側のコイルベース２６上にも同様に載置されている。
【００４７】
また、延出部２８ａの略反対側に位置するコイルベース２８には、防磁リング６６を保持するための略逆Ｌ字状の縦断面を有する係止部２８ｂが一体的に形成されており、この係止部２８ｂに一部が係止された防磁リング６６は、他の２ヵ所がコイルベース２８に螺着されている。防磁リングは、発熱するため風下に位置する部分の温度は、風上に位置する部分の温度よりも高くなる。係止部の部分は、隙間が存在するので樹脂部分の寸法が経年変化で変化しても問題ないが、螺着部はネジがゆるんでしまう恐れがある。防磁リング６６のこの取り付け方法は、コイルベース２８あるいは防磁リング６６が熱膨張で変形するのを防止するとともに、温度変化の少ない風上で螺着することにより防磁リング６６の固定を確実にして振動の防止を行うようにするためのものであり、コイルベース２８に複数の係止部を設け、防磁リング６６の少なくとも１ヵ所を風上側においてコイルベース２８に螺着するようにしてもよい。
【００４８】
さらに、コイルベース２８には略平行に延びる二つのコイルホルダ７０が第３の加熱コイル２２の外側巻線部と内側巻線部の中間の巻線の内部分で螺着されており、第３の加熱コイル２２は、コイルベース２８と二つのコイルホルダ７０により挟持されてコイルベース２８に保持されている。また、図７に示されるように、コイルホルダ７０が延在する方向は、コイルベース２８の延出部２８ａに形成された通風路６８を通過した冷却風が流れる方向と略一致している。
【００４９】
また、ロースターカバー３２に垂直に取り付けられた二つの支持部材５４は、通風路６８を通過した冷却風の流れを妨げることなく、第３の加熱コイル２２の全体を効率よく冷却できる位置に配置されている。すなわち、第３の加熱コイル２２の外周部の接線のうち、通風路６８の略中心Ｃと第３の加熱コイル２２の中心を結ぶ線Ｌに対して平行な二本の接線Ｌ１，Ｌ２の外側に二つの支持部材５４は位置している。
【００５０】
上記構成の誘導加熱調理器において、特に第３の加熱コイル２２を使用して調理を行う場合の空気の流れを以下説明する。
加熱部１２に鍋等の被加熱物を載置し第３の加熱コイル２２を使用して調理を行う場合、操作部３５を操作して第３の加熱コイル２２に高周波電流を供給すると、被加熱物の底部に渦電流が発生して被加熱物自体が発熱する。この時、吸気ファン４０，４２にも給電され、図２の破線矢印で示されるように、吸気口１４から取り入れられた空気は、吸気ファンケース４６を下降して吸気ファン４０，４２に吸入される。また、吸気ファン４０，４２より吐出された空気は、３層に積層された制御基板３４，３６，３８上を通過し、一部は制御基板３４上方の基板カバー４４ｄに形成された開口部４４ｂ，４４ｃ（図４参照）を通過して第２の加熱コイル２０及び第１の加熱コイル１８を通過する一方、別の一部は操作部３５の収納部の本体内壁に沿って流れ、さらにロースター３０の前方上部を通過して各部を冷却した後、排気口１６より排出される。
【００５１】
なお、図２に示されるように、吸気ファン４０，４２が吸気ファンモータ４１の両側に形成されているため、３層の制御基板３４，３６，３８のうち、中間層の制御基板３６は、上層あるいは下層の制御基板３４，３８に比べ流れる風量が少ないことから、中間層を２段構成にして冷却効率を向上させている。また、中間層の上段３８ａに載置された第１の回路部品と下段３８ｂに載置された第２の回路部品とに高低差を設けることで、第１の回路部品上のヒートシンク４３にも吸気ファン４０から吐出された冷却風が直接当たることになり、本体前方に配置され上段３８ａに載置された第１の回路部品も十分に冷却される。
【００５２】
また、吸気ファン４０，４２に給電されると同時に、補助ファン６２にも給電されるので、第３の加熱コイル２２専用の通風ダクト５３の通風路吸気口５３ａからも空気が取り入れられ、取り入れられた空気は、補助ファンケース５８の上部ケース６４に形成された吸気口６４ｂを介して補助ファン６２に吸入された後、上部ケース６４に形成された吐出口６４ａを介して通風ダクト５３の吐出口５３ｂより上方に吐出される。
【００５３】
さらに、吐出口５３ｂより上方に吐出された空気は、第３の加熱コイル２２が載置されたコイルベース２８の延出部２８ａに形成された通風路６８を通過して、防磁リング６６、第３の加熱コイル２２等を冷却した後、排気口１６より排出される。
【００５４】
上記のように、第３の加熱コイル２２を冷却するための空気を第２の加熱コイル２２の外側で第３の加熱コイル２２の中心と吸気ファン４０，４２の外殻（ファンカバー４４ｅ及び吸気ファンケース４６）との間に形成された吐出口５３ｂから吹き出す通風路（通風路吸気口５３ａから吐出口５３ｂに至る経路）を設けたので、吸気ファン４０，４２の吸排気作用により吸気ファン４０，４２の外殻周辺と排気口１６との間に圧力差が生じ、吸気ファン４０，４２の外殻の近傍にある吐出口５３ｂから吹き出した風は、吐出口５３ｂよりも排気口１６側にある第３の加熱コイル２２の方向に流れるので、第３の加熱コイル２２を冷却するための風量を十分に確保し、かつ効率良く冷却することができる。
【００５５】
また、通風路の吐出口５３ｂが吸気ファン４０，４２の外殻を形成するファンカバー４４ｅで形成されているので、これらの部品を本体内に取り付けることにより、吐出口５３ｂ及び通風路を同時に設けることができ、高密度な実装を行ったり、あるいは組立性を良くすることができる。なお、吐出口５３ｂは、制御基板を覆う基板カバー４４ｄ又は吸気ファンの外殻を形成する吸気ファンケースに形成されても良い。
【００５６】
また、第３の加熱コイル２２を冷却するための空気を吹き出す通風路を本体内部に設け、通風路の一部を吸気ファンの外殻（吸気ファンケース４６及び吸気ファンカバー４４ｄ）に形成された通風ダクト（通風ダクト５３及び補助ケース５８）で構成し、吸気ファンの外殻に補助ファン６２を取り付け、吐出口５３ｂより風上の位置に設けられた通風路吸気口５３ａを介して補助ファン６２に吸入した空気を第３の加熱コイル２２に送るようにすると、温度の低い空気を第３の加熱コイル２２近傍に強制的に流して第３の加熱コイル２２を冷却することができ、冷却効率が向上する。本実施の形態のように通風路吸気口５３ａを吸気ファン４０，４２の風上に設け、外部の空気を吸気ファン４０，４２を介さず吸入すると、室温に近い空気を第３の加熱コイル２２近傍に強制的に流すことができる。さらに、補助ファンを設けているので、強制的に必要量の風量で第３の加熱コイル２２を冷却できる。なお、通風路の一部を吸気ファンの外殻の代わりに、基板カバー４４ｄに設け、吐出口５３ｂよりも風上の本体内部の位置（例えば吸気ファン４０，４２の吐出口近傍又は制御基板３４，３６，３８の近傍）に通風路吸気口５３ａを設けても良い。
【００５７】
なお、上述した実施の形態では、基板カバー及びファンカバーを樹脂材料により一体的にして基板ファンカバーを形成し組立性が向上するようにしたが、必ずしも一体的に形成する必要はなく、別体としてもよい。
【００５８】
実施の形態２．
以下、本発明の実施の形態２について、図８を参照しながら上述した実施の形態１との相違点のみ説明する。
【００５９】
上述した実施の形態１においては、第３の加熱コイル２２を冷却するための専用の通風ダクト５３をファンカバー４４に一体的に形成したが、本実施の形態においては通風ダクト５３を設けることなく、吸気ファンケース４６の上部に通風路４６ａを形成している。
【００６０】
また、吸気ファンケース４６の第３の加熱コイル２２側には、補助ファンケース５８の一部である下部ケース６０が樹脂材料により一体的に形成されており、この下部ケース６０に図７に示す補助ファン６２が収容され、補助ファンケース５８の別の一部である上部ケース６４が下部ケース６０に螺着されている。また、上部ケース６４には、補助ファン６２から排出された空気が吐出される吐出口６４ａが形成されており、吸気ファン４０より通風路４６ａを介して補助ファン６２に吸入された空気は、吐出口６４ａを介して上方に吐出される。
【００６１】
本実施の形態において、第３の加熱コイル２２を使用して調理を行う場合、吸気ファン４０，４２より吐出される空気は、制御基板３４，３６，３８に向かって送られる一方、吐出空気の一部は吸気ファンケース４６に形成された通風路４６ａを介して補助ファン６２に吸引される。補助ファン６２に吸引された空気は、上部ケース６４に形成された吐出口６４ａを介して第３の加熱コイル２２が載置されたコイルベース２８の延出部２８ａに形成された通風路６８を通過して、防磁リング６６、第３の加熱コイル２２等を冷却した後、排気口１６より排出される。
【００６２】
以上のように、第３の加熱コイル２２を冷却するための空気を吹き出す通風路の吸気口である通風路吸気口４６ａを吸気ファンの外殻である吸気ファンケース４６の側壁の吸気ファン吐出口と別の方向に形成するとともに、通風路に連通する通風ダクト（補助ファンケース５８）が吸気ファン４０，４２の外殻である吸気ファンケース４６に形成されており、吸気ファン４０，４２に吸入した空気を通風路吸気口４６ａ及び通風ダクト（補助ファンケース５８）を介して第３の加熱コイル２２に送るようにすると、構成が簡素になるばかりでなく室温の空気で第３の加熱コイル２２を冷却することができる。この場合、第３の加熱コイル２２冷却用の補助ファン６２をさらに設けると、吸気ファン４０，４２の負担を少なくすることができるので、安価で騒音も少ない。また、補助ファン６２を吸気ファン４０，４２の外殻に固定すると（基板カバー４４ｄに固定しても良い）、補助ファン６２を本体に取り付ける際の組立性を良くし高密度な設計をすることができる。
【００６３】
本実施の形態においては、吸気ファン４０より通風路４６ａを介して吐出された空気は強制的に補助ファンケース５８に送られるので、補助ファン６２は必ずしも必要ではなく、補助ファンケース５８を通風ダクトとして使用することもできる。
【００６４】
実施の形態３．
以下、本発明の実施の形態３について、図９及び図１０を参照しながら上述した実施の形態１との相違点のみ説明する。
【００６５】
本実施の形態においては、吸気ファンケース４６の第３の加熱コイル２２側には、補助ファンケース５８の一部である下部ケース６０が一体的に形成されており、この下部ケース６０に補助ファン６２が収容され、補助ファンケース５８の別の一部である上部ケース６４が下部ケース６０に螺着されている。また、下部ケース６０には、吸気ファン４０，４２から吐出された空気が吸入される吸気口６０ａが形成されており、上部ケース６４には、補助ファン６２から排出された空気が吐出される吐出口６４ａが形成されている。
【００６６】
また、制御基板３４，３６，３８上方における基板カバー４４ｄのロースター３０側には、通風ダクト７２が樹脂材料により一体的に形成されており、この通風ダクト７２には、側方に位置する第１の加熱コイル１８に向かって開口する第１の吐出口７２ａと、後方に位置する補助ファンケース５８の下方に向かって開口する第２の吐出口７２ｂが形成されている。
【００６７】
本実施の形態において、第３の加熱コイル２２を使用して調理を行う場合、吸気ファン４０，４２より制御基板３４，３６，３８に向かって吐出された空気の一部は、基板カバー４４ｄの第１の吐出口７２ａを介して第１の加熱コイル１８に送られる通風路Ａが形成される。また、基板カバー４４ｄの第２の吐出口７２ｂより補助ファンケース５８の下部ケース６０に形成された吸気口６０ａを介して補助ファンケース５８に収容された補助ファン６２に吸入される通風経路Ｂ、及び吸気ファン４０，４２が制御基板３４，３６，３８に対して吹き出した風を第２の吐出口７２ｂを通らずその下方を基板カバー４４ｄ、吸気ファンケース４６及びロースターカバー３２の側壁で囲まれた空間内に形成された通風路で後方に導き、補助ファンケース５８の下部ケース６０に形成された吸気口６０ａを介して補助ファンケース５８に収容された補助ファン６２に吸入される通風経路Ｃが形成され、補助ファン６２より吸入され吐出された空気は補助ファンケース５８の上部ケース６４に形成された吐出口６４ａより上方に吐出される。
【００６８】
さらに、補助ファン６２より上方に吐出された空気は、第３の加熱コイル２２が載置されたコイルベース２８の延出部２８ａに形成された通風路６８を通過して、防磁リング６６、第３の加熱コイル２２等を冷却した後、排気口１６より排出される。
【００６９】
この構成により、吸気ファン４０，４２に吸入した空気を二つの通風ダクトを介して第３の加熱コイル２２に送るようにしているので、制御基板周辺の空気を効率よく抜き取ることができ、制御基板の風上あるいは上部に通風路吸気部を設ければ制御基板の熱影響の少ない空気を取り込み第３の加熱コイル２２を冷却でき冷却効率が向上する。
【００７０】
なお、二つの通風ダクトは、いずれか一つでもよく、吸気ファン４０，４２の吹き出す温度の低い冷却風の一部を第３の加熱コイル２２に効率よく導き、吸気ファンと反対側に位置する排気口にスムーズに冷却風を流し冷却することができる。また、この通風ダクトのいずれかに補助ファンを取り付けると、制御基板を冷却して暖められた空気を制御基板３４，３６，３８周辺から抜き取ることができ、第３の加熱コイル２２を冷却できる。
【００７１】
本実施の形態においても、吸気ファン４０より吐出された空気は第２の吐出口７２ｂを介して強制的に補助ファンケース５８に送られるので、補助ファン６２は必ずしも必要ではなく、補助ファンケース５８を通風ダクトとして使用することもできる。
【００７２】
実施の形態４．
以下、本発明の実施の形態４について、図１１を参照しながら上述した実施の形態１との相違点のみ説明する。
【００７３】
本実施の形態においては、制御基板３４，３６，３８が保持される基板ケース７４に通風ダクト７６を樹脂材料により一体的に形成し、この通風ダクト７６に補助ファン（図示せず）を収容している。上層の制御基板３４には、複数の回路部品７８と放熱手段としてのヒートシンク８０が取り付けられており、制御基板３４後方で吸気ファンケース４６側方の基板ケース７４に通風ダクト７６は設けられている。また、通風ダクト７６には、上方に開口する吐出口７６ａが形成されている。
【００７４】
本実施の形態において、第３の加熱コイル２２を使用して調理を行う場合、吸気ファン４０，４２より制御基板３４，３６，３８に向かって吐出された空気のうち、上層の制御基板３４を通過した空気の一部は、通風ダクト７６を介して補助ファンに吸入される。また、補助ファンより吐出された空気は通風ダクト７６に形成された吐出口６４ａより上方に吐出される。
【００７５】
さらに、補助ファン６２より上方に吐出された空気は、第３の加熱コイル２２が載置されたコイルベース２８の延出部２８ａに形成された通風路６８を通過して、防磁リング６６、第３の加熱コイル２２等を冷却した後、排気口１６より排出される。
【００７６】
以上のように、通風路６８の吸気口を、吐出口７６ａの風上側又はロースターカバー３２の風上側に設けると、ロースター３０の発生する熱の影響により温度が上昇する前の空気を第３の加熱コイル２２近傍に強制的に流して第３加熱コイル２２を冷却することができる。
【産業上の利用可能性】
【００７７】
上述したように、本発明にかかる加熱調理器は、後方に配置した加熱コイルを効率的に冷却できるので、前方に二つの加熱コイルを設け後方に一つの加熱コイルを設けた三口誘導加熱調理器等の多口誘導加熱調理器として有用である。
【図面の簡単な説明】
【００７８】
【図１】本発明の実施の形態１にかかる誘導加熱調理器の分解斜視図
【図２】図１の誘導加熱調理器の縦断面図
【図３】トッププレートを取り外した状態の図１の誘導加熱調理器の平面図
【図４】図１の誘導加熱調理器に設けられた第３の加熱コイルとファンカバーと吸気ファンケースの分解斜視図
【図５】図４の第３の加熱コイルとファンカバーと吸気ファンケースの正面図
【図６】第３の加熱コイルの平面図
【図７】冷却風の流れを示す第３の加熱コイルの平面図
【図８】本発明の実施の形態２にかかる誘導加熱調理器に設けられた第３の加熱コイルとファンカバーと吸気ファンケースの分解斜視図
【図９】本発明の実施の形態３にかかる誘導加熱調理器に設けられた第３の加熱コイルとファンカバーと吸気ファンケースの分解斜視図
【図１０】図９に示される補助ファンケースを下から見た場合の斜視図
【図１１】本発明の実施の形態４にかかる誘導加熱調理器に設けられた第３の加熱コイルとファンカバーと基板ケースの分解斜視図
【符号の説明】
【００７９】
２  調理器本体、  ２ａ  側壁部、  ２ｂ  前壁部、  ４  トッププレート、  
６  プレート枠、  ８，１０，１２  加熱部、  １４  吸気口、  １６  排気口、  
１８，２０，２２  加熱コイル、  ２４，２６，２８  コイルベース、  
２８ａ  延出部、  ２８ｂ  係止部、  ２８ｃ  当接部、  ２８ｄ  弾性部材、  
３０  ロースター、  ３２  ロースターカバー、  ３３  ばね、  
３４，３６，３８  制御基板、  ３５  操作部、  ３８ａ  上段の制御基板、  
３８ｂ  下段の制御基板、  ４０，４２  吸気ファン、  ４１  吸気ファンモータ、  
４３  ヒートシンク、  ４４  基板ファンカバー、  ４４ａ  吸気部、  
４４ｂ、４４ｃ  開口部  ４４ｄ  基板カバー、  ４４ｅ  ファンカバー、  
４６  吸気ファンケース、  ４６ａ  通風路、  ４８  支持部材、  ５０  ばね、  
５２  支持部材、  ５３  通風ダクト、  ５３ａ  吸気口、  ５３ｂ  通風路吐出口、  
５４  支持部材、  ５６  ばね、  ５８  補助ファンケース、  ６０  下部ケース、  
６０ａ  吸気口、  ６２  補助ファン、  ６４  上部ケース、  ６４ａ  吐出口、  
６４ｂ  吸気口、  ６６  防磁リング、  ６８  通風路、  ７０  コイルホルダ、  
７２  通風ダクト、  ７２ａ  第１の吐出口、  ７２ｂ  第２の吐出口、  
７４  基板ケース、  ７６  通風ダクト、  ７６ａ  吐出口、  ７８  回路部品、  
８０  ヒートシンク。
【図１】
2008059983.tif 000003
【図２】
2008059983.tif 000004
【図３】
2008059983.tif 000005
【図４】
2008059983.tif 000006
【図５】
2008059983.tif 000007
【図６】
2008059983.tif 000008
【図７】
2008059983.tif 000009
【図８】
2008059983.tif 000010
【図９】
2008059983.tif 000011
【図１０】
2008059983.tif 000012
【図１１】
2008059983.tif 000013